Podtech/llm-jp-corpus-v4-ja_patent huggingface dataset:
(57)【要約】      （修正有）【課題】ライトを必要とするとき、軽量で携帯でき、簡単に帽子のつばに取りつけれるソケットつき帽子用クリップを提供する。【解決手段】クリップ５，６と、筒ソケット本体１，２とを有する。クリップ５，６の本体上部軸には、筒ソケット本体１，２が２ヶ所で接着４固定され、クリップ５，６には帽子のつば中央部を差し込むことができる差し込み口７があり、筒ソケット本体１，２には、小型ライトを挿入し、固定することができる差しこみ口３がある。【選択図】図１
0003198859.tif 000002
【実用新案登録請求の範囲】
【請求項１】
クリップ（５）（６）の本体上部軸に、筒ソケット本体（１）（２）を設けて、クリップと筒と接着（４）２ヶ所で固定する。
帽子のつば中央部にクリップ（７）を差しこんで固定する。
筒ソケット（３）の差しこみ口に小型ライトを挿入し固定する。
ソケットつき帽子用クリップ。
【考案の詳細な説明】
【技術分野】
【０００１】この考案は、クリップの上部軸に、小型ライトを挿入できる筒を設けた、帽子用クリップである。
【背景技術】
【０００２】従来、帽子と懐中電灯（ライト）は別々のものです。
【先行技術文献】
【特許文献】
【０００３】
【特許文献１】特開２００３−６４５２
【考案の概要】
【考案が解決しようとする課題】
【０００４】従来、外灯のない夜路や、夕暮の農作業、配達業務や通勤、通学の帰宅時や室内点検業務で、ライトがあればと、不便を感じました。そこで考えましたのが、ライトを必要とするとき、軽量で携帯でき、簡単に帽子のつばに取りつけれるソケットつき帽子用クリップです。
【課題を解決するための手段】
【０００５】筒ソケット本体（１）（２）をクリップ本体（５）（６）を設け、ソケット本体とクリップ本体を２ヶ所（４）で接着し、帽子の先端つば面にクリップのさしこみ口（７）にはさみ、帽子と一体となり、筒ソケットの差しこみ口（３）に携帯の小型ライトを挿入し、使用できる、本考案は以上の構成による、ソケットつき帽子用クリップです。
【考案の効果】
【０００６】筒ソケットとクリップが一体となって、軽く小さくて携帯でき、取りつけも、簡単で、老若男女が利用できます。
【図面の簡単な説明】
【０００７】
【図１】本発明の斜視図です
【図２】本発明の断面図です
【考案を実施するための形態】
【０００８】以下、本考案を実施するための形態について説明します。
帽子用クリップ軸（５）の上部の一端に塩化ビニール樹脂製の筒（１）部分に２ヶ所（４）を接着し固定する。筒本体の（２）はライト止め波形にして小型ライト差しこみ口（３）に小型ライトを必要時において挿入し利用できるクリップ本体の差し込み口（７）を、帽子のつば先端中央部に、差しこみ固定して使用。
本考案は、以上の構造です。
【実施例】
【０００９】夕暮とき、又夕方、くらやみで農作業や点検、清掃作業、雨の日、荷物を両手でもった配達業務等の多目的に活用できる。
【産業上の利用可能性】
【００１０】作業面はもちろん、学校の通学、通勤、旅行、散歩、山のぼり等の案全、防犯においても、有効活用できる。
【符号の説明】
【００１１】図面
１  筒ソケット    （塩化ビニール樹脂）
２  筒ソケット波型（塩化ビニール樹脂）
３  小型懐中電灯（ライ）差しこみ口
４  筒とクリップ軸との接着部分
５  クリップ本体上部面（ポリスポリチレン樹脂）
６  クリップ本体下部面（ポリスポリチレン樹脂）
７  帽子つばへ差しこみ口
【図１】
0003198859.tif 000003
【図２】
0003198859.tif 000004
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
クリップ（５）（６）と、筒ソケット本体（１）（２）とを有するソケットつき帽子用クリップであつて、
クリップ（５）（６）の本体上部軸には、筒ソケット本体（１）（２）が２ヶ所で接着（４）固定され、
クリップ（５）（６）には帽子のつば中央部を差し込むことができる差し込み口（７）があり、
筒ソケット本体（１）（２）には、小型ライトを挿入し、固定することができる差しこみ口（３）がある、
ソケットつき帽子用クリップ。
(57)【要約】      （修正有）【課題】学習机に設置することで学習者の姿勢を向上し、学習効果をあげる学習補助用具を提供する。【解決手段】高さ２ｃｍから３ｃｍで直径２ｃｍのプラスティック製の円筒が、６０度から７０度に円の側面が開き、開いた円筒の反対側が平面になっていて、その平面が、両足の乗る板に固定された、学習補助用具。【選択図】図３
0003198851.tif 000002
【実用新案登録請求の範囲】
【請求項１】
両足の乗る板に、鉄パイプに取り付け可能なアタッチメントをつけ、前後の円運動をするところを特徴とする学習時の姿勢向上のための学習補助用具
【考案の詳細な説明】
【技術分野】本考案は、全国の学校で広く使われている机に取り付けることできる、学習者の姿勢向上を目的とする学習補助用具である。
【技術背景】
姿勢と学習効果は密接な関係があるにもかかわらず、姿勢は学習者の意識・習慣や、熟達した教師の力量に委ねられていた。また、姿勢改善器具や椅子、机そのものはあるが、汎用性に欠けている。
【特許文献】
特開２０１４−２６５５２（Ｐ２０１４−２６５５２Ａ）
【本考案が解決しようとする課題】
学習時の姿勢が悪いと以下のような弊害があり、ひいては学習効果が落ちる。
▲１▼頸筋群の緊張による頚動脈内血流の減少、ひいては脳への血流減少
▲２▼視線と対象物の距離の左右差による立体視の不全
▲３▼座姿勢における腹式呼吸によってもたらされる副交感神経優位になり、眠気等がおきやすい。
▲４▼下肢の活動不全における、血流が下肢へ集中しやすい。
（ミルキングアクションがおきない）
また、姿勢改善のための机、椅子等は汎用性に欠け、多くの学習者に適用しようとすれば多大なる費用と労力が必要となる。
【課題解決の手段】
本考案は、両足底の乗る板状のものに、学習机の鉄パイプに連結できるアタッチメントが付けられている。アタッチメントが適切な靭性を持つ素材にすることで、取り付け器具等は不要で使用できる。学習者は前後に円運動をする本考案に両足を乗せることで、足底筋膜から体幹部までの適度な緊張を持ち、よい姿勢に導く。本考案は、従来の解決法と比べ極めて安価、簡易であることが特徴である。
【考案の効果】
上記は全国に流通している学習机に装着することで、学習者の姿勢向上をもたらし、脳内への血流増大、視線の適正化、交感神経優位、ミルキングアクションによる上肢への血流増大が起こり、学習効果をあげられる。
【図面の簡単な説明】
【図１】  本考案の上部図である。
【図２】  本考案の下部図である。
【図３】  本考案の学習机へのアタッチメントの拡大図である。
【図４】  本考案の実施時の斜視図である。
【図１】
0003198851.tif 000003
【図２】
0003198851.tif 000004
【図３】
0003198851.tif 000005
【図４】
0003198851.tif 000006
【手続補正書】
【提出日】平成27年5月7日(2015.5.7)
【手続補正１】
【補正対象書類名】実用新案登録請求の範囲
【補正対象項目名】全文
【補正方法】変更
【補正の内容】
【実用新案登録請求の範囲】
【請求項１】
高さ２ｃｍから３ｃｍで直径２ｃｍのプラスティック製の円筒が、６０度から７０度に円の側面が開き、開いた円筒の反対側が平面になっていて、その平面が、両足の乗る板に固定された、学習時の姿勢向上のための学習補助用具。
(57)【要約】 【課題】消臭、漂白、殺菌、潤いに効果のある花舞妓石鹸を提供する。【解決手段】天然産出油エキスよりなる石鹸成分に真珠エキスと馬油と柿渋の成分中心にミックスして所要の形状に固めてある。【選択図】図１
0003198819.tif 000002
【実用新案登録請求の範囲】
【請求項１】
天然産出油エキスよりなる石鹸成分に真珠エキスと馬油エキスと柿渋エキスの成分を中心にミックスして所要の形状に固めてあり、真珠エキスは肌を滑らかにそして漂白作用がある、馬油は皮膚の浅い部分に浸透しやすい殺菌成分と皮膚の再生作用がある、柿渋は消臭殺菌作用がありこの組み合わせにより従来には無かった、消臭、漂白、殺菌、潤いに効果のある花舞妓石鹸。
【請求項２】
天然成分のみを使用した身体に安全な請求項１記載の花舞妓石鹸。
【考案の詳細な説明】
【技術分野】
【０００１】
本考案は、身体全体を洗う花舞妓石鹸に関する。  
【背景技術】
【０００２】
従来より、通常的に広く使用されている石鹸、特に人体の表皮上の汗と塵が混合体である［あか］を除去しようとすると親油性分子によって油成分を抽出しながら表皮の脂肪分まで除去される為に洗顔をすると皮膚が突っ張り身体は乾燥するなどの現象があったので一般的にクリームや化粧水で皮膚の脂肪分を補充している。
従来から在る固形石鹸では、消臭、漂白、殺菌、潤いの４点に効果の見られる石鹸は無かった。
【先行技術文献】
【特許文献】
【０００３】
【特許文献１】特許第５２０３９０７号
【考案の概要】
【考案が解決しようとする課題】
【０００４】
本考案は上記問題点を解消するとともに、加齢臭や体臭の消臭、皮膚の洗浄、皮膚の細胞を再生活性化せしめる花舞妓石鹸を提供することを目的とする。
【課題を解決するための手段】
【０００５】
本考案者は、生活体験から、馬油が皮膚再生に効果が高く殺菌力も強力で人体に害も無く皮膚からの吸収が容易である、柿にはビタミンＣが豊富に含まれている、柿渋が消臭と殺菌の効果が強力である、真珠粉末を飲用する習慣があり皮膚の漂白に効果あることを経験している、真珠の微粉末平均粒度は５００〜７００メッシュである、これをベースに馬油エキスと柿渋エキスを程よく石鹸成分と混合したスキンケア石鹸に関する。
【考案の効果】
【０００６】
本考案の石鹸は、真珠微粉末の皮膚漂白と艶の効果、馬油の殺菌皮膚浸透力、皮膚細胞の再生活性化と血液の循環促進効果、柿渋の殺菌消臭効果、皮膚の老廃物を吸収して外に導き出すことが出来、繰り返し使用することで、しわを予防、アトピー性皮膚炎、ニキビ、シミ、ソバカス等の皮膚トラブルから皮膚を守り、肌の柔軟性を増す、弱い肌が強くなり、荒れ肌や日焼けした肌のくすみをなくし、かさかさ肌が潤いのある肌になる、加齢臭、体臭、悪臭を取り除くことができるので、きわめて有効である。
【図面の簡単な説明】
【０００７】
【図１】本考案の石鹸の概略斜視図である。
【考案を実施するための形態】
【０００８】
石鹸成分に真珠微粉末と馬油エキスと柿渋エキスを混合し型にはめて乾燥する成分が偏らないように混合し構成された石鹸として供給する。
【実施例１】
【０００９】
石鹸素地と真珠微粉末と馬油エキスと柿渋エキスを程よく混合してロールでよく練り、押出機で棒状に伸ばした後に型打ちして花舞妓石鹸１を製作した、全て自然成分である多数の人々に試用してもらったが、上記の優れた効用を示す報告があった。 
【産業上の利用可能性】
【００１０】
本考案は、身体全体と特に消臭を望む局部（デリケート）などの洗浄に適用が可能である。
【符号の説明】
【００１１】
１・・・・花舞妓石鹸
【図１】
0003198819.tif 000003
(57)【要約】      （修正有）【課題】軽くブレなく安全に白菜の尻切り作業ができるとともに左利き右利きの別なく使用できる尻切り刄物を提供する。【解決手段】Ｕ字枠４と、Ｕ字枠の両先端部ａ、ａａにわたって設けられた湾曲刄５と、Ｕ字枠の中心の底部３に設けられた柄２とを有する。Ｕ字枠の両先端部にナット部を設け、湾曲刄の両端辺にボルト通過穴を設け、ナット部及びボルトで湾曲刄を付け外し可能としてもよい。【選択図】図１
0003198847.tif 000002
【実用新案登録請求の範囲】
【請求項１】
１、（１）白菜再選用尻切り刄物本体で（４）Ｕ字枠の中心（３）底部に（２）柄を設けて成る白菜の再選用の尻切り刄物。
【請求項２】
１、（１ａ）白菜再選用尻切り刄物本体で（５ａ）湾曲刄に（９Ａ）端辺と（９Ｂ）端辺を設け、更に（７Ａ）通過部と（７Ｂ）通過部を設けた白菜の再選用の尻切り刄物。
【考案の詳細な説明】
【考案の詳細な説明】
【０００１】技術の分野
本孝案は、白菜の再選用の尻切り刄物に関する。
【０００２】背影技術
従来の白菜の再選の時の尻切り刄物は、草刈鎌を曲げて使用したり、菜切り包丁を曲げたりして、使っていました。
【０００３】
【先行技術文献１】
特許平６−９９６６２０号公報（第３頁  図１）
【０００４】考案の概要
【考案が解決しようとする課題】
従来技術の問題点は、鎌の柄や菜切り包丁の柄が、刄の片側に付いている為に柄を持つ手の力が片寄って刄に掛かかるから、切る時により強い力が必要になっていた。更に左利き右利きの別で別々の刄物が必要になっていた。
【課題を解決する為の手段】
図面にもと付いて説明します。図１の本考案の白菜の再選用尻切り刄物では、（１）白菜再選用尻切り刄物本体の（２）柄を（４）Ｕ字枠の中心の（３）底部に設けた。従って（５）湾曲刄の中央に（２）柄を持つ手の力が掛る。
【考案の効果】
（２）柄を持つ手の力が（５）湾曲刄の中央に掛かるから軽くブレなく安全に白菜の尻切り作業ができる。故に能率が上る。更に（２）柄から見通して左右の形が対称であるから左利き右利きの別なく使用できる。
【実施例】
【０００５】実施例図２では、（５ａ）湾曲刄を（４ａ）Ｕ字枠の（６Ａ）ナット部と（６Ｂ）ナット部にそれぞれ嵌合する（８）ボルトで（５ａ）湾曲刄の（９Ａ）端辺と（９Ｂ）端辺に（７Ａ）通過部と（７Ｂ）通過部を介して付け外し可能とした。それで（５ａ）湾曲刄を外すことで研ぎ易くした。
〔従来型〕図３は、従来型で草刈り鎌の刄を湾曲させて（３５）湾曲刄としたもので（３２）は柄で（３０）は金管である。
【図面の簡単な説明】
【０００６】
【図１】は、本考案の斜視図である。
【図２】は、本考案の実施例の斜視図で一部分解図である。
【図３】は、従来型の斜視図である。
【考案を実施する為の形態】
図１及び図２の如くである。
【０００７】産業上利用の可能性
【符号の説明】
【０００８】（１）（１ａ）は、白菜再選用尻切り刄物本体。
（２）（３２）は、柄。
（３）は、底部。
（４）（４ａ）は、Ｕ字枠。
（５）（５ａ）（３５）は、湾曲刄。
（６Ａ）（６Ｂ）は、ナット部。
（ａ）（ａａ）は、先端部。
（７Ａ）（７Ｂ）は、通過部。
（８）は、ボルト。
（９Ａ）（９Ｂ）は、端辺。
（３０）は、金管。
【図１】
0003198847.tif 000003
【図２】
0003198847.tif 000004
【図３】
0003198847.tif 000005
【手続補正書】
【提出日】平成27年5月1日(2015.5.1)
【手続補正１】
【補正対象書類名】実用新案登録請求の範囲
【補正対象項目名】全文
【補正方法】変更
【補正の内容】
【実用新案登録請求の範囲】
【請求項１】
Ｕ字枠（４）と、
Ｕ字枠（４）の両先端部（ａ、ａａ）にわたって設けられた湾曲刄（５）と、
Ｕ字枠（４）の中心の底部（３）に設けられた柄（２）と
を有する白菜の再選用の尻切り刄物。
【請求項２】
Ｕ字枠（４ａ）と、
Ｕ字枠（４ａ）の両先端部のそれぞれに設けられたナット部（６Ａ、６Ｂ）と、
両端辺（９Ａ、９Ｂ）のそれぞれに通過部（７Ａ、７Ｂ）を備える湾曲刄（５ａ）と、
通過部（７Ａ、７Ｂ）を通過するボルト（８）と
を有し、
ナット部（６Ａ、６Ｂ）及びボルト（８）で湾曲刄（５ａ）が付け外し可能である
白菜の再選用の尻切り刄物。
(57)【要約】      （修正有）【課題】ウォーキングなどの運動を行う際、運動効率向上の為に、身体に装着するゴムベルト運動用具を提供する。【解決手段】ゴムベルト運動用具は、同一形状のリング１が４個あり、第１のリングと第２のリング、第１のリングと第３のリング、及び第２のリングと第４のリングをそれぞれ伸縮性のあるゴムベルト２で連結させた構造を有するゴムベルトを身体でクロスさせて各リングを肩又は上肢、および下肢に装着する。胸を張り、背を反らせ、姿勢をコントロールし、ウォーキングなどの運動を行い、筋力を向上させる。【選択図】図１
0003198846.tif 000002
【実用新案登録請求の範囲】
【請求項１】
肩又腕と足にベルトをつけて身体前面にクロスに装着、長さ調節し、身体の姿勢をコントロールし、身体背面の筋力を鍛える事を特徴とする。
【請求項２】
肩又腕と足にベルトをつけて身体背面にクロスに装着、長さ調節し、身体の姿勢をコントロールし、身体前面の筋力を鍛える事を特徴とする。
【請求項３】
肩又腕と足にベルトをつけて身体背面にクロスに装着、長さ調節し、腰の負担を軽減する作業補助用具の特徴を有する。
【請求項４】
肩と障害のある足にベルトをつけて、ゴムの弾性を利用し歩行を補助するリハビリ用具としての特徴を有する。
【請求項５】
図１のような４つのリングをゴムベルトでつなげ、ゴムベルトは長さ調節、リングはサイズ調節できる、構造、形状を特徴とする。
【考案の詳細な説明】
【技術分野】
【０００１】本考案は、ゴムベルトを身体に装着しトレーニング、リハビリに使用する、運動用具に関するものである。
【背景技術】
【０００２】従来は、本考案が提案する運動用具、リハビリ用具がなかった。
【考案の概要】
【考案が解決しようとする課題】
【０００３】本考案が提案する運動用具は身体装着型で、身体に装着し、姿勢をコントロールすることで筋力を鍛えることが出来る。様々なバリエーションで使用ができ、リハビリや、腰の負担を軽減する用具にも使用できる。
【課題を解決するための手段】
【０００４】図２と図３を連結させた図１を図４の様に、身体正面に装着し、胸を張り、背筋を伸ばし、ウォーキングや捻転運動を行う事で、筋力を鍛える。図５の様に身体背面に装着し腰の負担を軽減する。図６、図７は左半身マヒ患者の図であり、歩行のリハビリを補助する用具になる、片手で装着可能。図８、図９は捻転運動の図であり、パーツは着脱可能。装着型ゴムベルト運動用具を装着して、上から服を着る事が出来る為、装着の有無が容易に他人にわからない。
【考案の効果】
【０００５】ウォーキングに付加価値をもうける。身体障害者がウォーキングやハイキングを行う。装着の有無が容易に他人に分からない為、日常に装着すればいつでも、どこでもトレーニングとなる。
【図面の簡単な説明】
【０００６】
【図１】本考案正面図である。
【図２】ベルトの図である。
【図３】ゴムベルトの図である。
【図４】身体正面に装着した図である。
【図５】身体背面に装着した図である。
【図６】左半身マヒ患者身体に装着した正面図である。
【図７】左半身マヒ患者身体に装着した背面図である。
【図８】野球の捻転運動に応用した打撃後の図である。
【図９】野球の捻転運動に応用した打撃前の図である。
【考案を実施するための形態】
【０００７】図２のベルトを、図４の位置、腕、足、に巻き、図１の様にベルトを、ａのしぼり固定リングに通して固定し各部位に装着する、図４のｂ長さ調節リングを使用し長さ調節により負荷を調整する。
【符号の説明】
【０００８】０  ゴムベルト運動用具本体
１  ベルト
２  ゴムベルト
ａ  しぼり固定リング
ｂ  長さ調整リング
【図１】
0003198846.tif 000003
【図２】
0003198846.tif 000004
【図３】
0003198846.tif 000005
【図４】
0003198846.tif 000006
【図５】
0003198846.tif 000007
【図６】
0003198846.tif 000008
【図７】
0003198846.tif 000009
【図８】
0003198846.tif 000010
【図９】
0003198846.tif 000011
【手続補正書】
【提出日】平成27年2月16日(2015.2.16)
【手続補正１】
【補正対象書類名】実用新案登録請求の範囲
【補正対象項目名】全文
【補正方法】変更
【補正の内容】
【実用新案登録請求の範囲】
【請求項１】
４個のリングそれぞれに伸縮性のある３本のゴムベルトで連結して背筋を強化できる構造を有するゴムベルト運動用具。
【請求項２】
身体背面にゴムベルトを交差させて両肩両足にリングで装着し身体前面の筋力を強化することを特徴とする請求項１記載のゴムベルト運動用具。
【請求項３】
身体背面にゴムベルトを交差させて両肩両足にリングで装着し腰の負担を軽減することを特徴とする請求項１記載のゴムベルト運動用具。
【請求項４】
肩と障害のある足をゴムベルトで繋いでゴムの弾性を利用し歩行を補助する事を特徴とする請求項１記載のゴムベルト運動用具。
【請求項５】
ゴムベルト又リングは長さ調節が可能な事を特徴とする請求項１記載のゴムベルト運動用具。
【手続補正書】
【提出日】平成27年5月1日(2015.5.1)
【手続補正１】
【補正対象書類名】実用新案登録請求の範囲
【補正対象項目名】全文
【補正方法】変更
【補正の内容】
【実用新案登録請求の範囲】
【請求項１】
同一形状のリングが４個ありその第１のリングと第２のリングを伸縮性のあるゴムベルトで連結し第１のリングと第３のリングを伸縮性のあるゴムベルトで連結し第２のリングと第４のリングを伸縮性のあるゴムベルトで連結させた構造を有するゴムベルト運動用具。
(57)【要約】      （修正有）【課題】使用環境が十分な明るさのない条件の下においても、適量の給湯作業を安全かつ容易に行うことができる電気ポットを提供する。【解決手段】給湯口下方に容器を構えて給湯する電気ポットにおいて、給湯口２周辺に下方に向けて発光する照明装置６を装着し、本体１に備えたスイッチまたはセンサー４の働きで、照明装置を発光させる。容器の位置や容器の内部の給湯量を明確に確認しながら給湯作業を行うことが可能となるため、安全にかつ適量を給湯できる。【選択図】図１
0003198849.tif 000002
【実用新案登録請求の範囲】
【請求項１】
給湯しようとする容器部分へ照明を当てるための照明機能を取り付けた電気ポット。
【考案の詳細な説明】
【技術分野】
【０００１】
本考案は、電気ポットで容器などに給湯する際、本体に取り付けた照明を点灯させることにより、容器など手元を照らして、安全に適量を給湯する作業を容易にした電気ポットに関するものである。
【背景技術】
【０００２】
電気ポットは広く実用されており、安全に給湯する機能としては、給湯しようとする容器の設置位置を明確にするため、本体に目印をつけるなどの技術がある。しかし、使用環境が暗い場合や容器によっては、給湯時に手元や容器内部が見えにくいため、危険を伴うという欠点があった。
【０００３】
LEDなど小形の照明は、もはや広く実用されており、電気ポット内部の液面表示を明確にするために使用するなどの技術はある。しかし、LEDなど小型の照明装置を電気ポットに装備し、給湯時に手元を照らすために使用すれば、暗い使用環境のもとでも安全に使用できる。
【先行技術文献】
【特許文献】
【０００４】
【特許文献１】特開2014-226360
【特許文献２】特開2011-177202
【考案の概要】
【考案が解決しようとする課題】
【０００５】
解決しようとする問題点は、使用環境が十分に明るくない場合には、安全に適量を容器に給湯することができない点である。
【課題を解決するための手段】
【０００６】
本考案は、給湯時の手元を明るくするため、給湯時及びその前後で、照明を点灯させることを最も主要な特徴とする。
【考案の効果】
【０００７】
本考案の電気ポットは、使用環境が十分に明るくない場合においても、給湯作業及びその前後に照明を点灯させることにより手元が明るくなるため、安全に適量を給湯できる。特に魔法瓶などのように、底が深く内部が見えにくい容器に給湯する場合にも安心して使用できる。
【図面の簡単な説明】
【０００８】
【図１】図1は全体の見取り図である。
【図２】図2は操作部の参考図である。
【考案を実施するための形態】
【０００９】
給湯ノズルの付近に、給湯しようとする容器などを照らすように、LEDなどの照明を設ける。
【実施例】
【００１０】
図1は本考案装置の見取り図であって、図2は操作部の参考図である。1は電気ポット本体、2は給湯ノズル、3は給湯ロック解除スイッチ、4は容器センサー、5は照明スイッチ、6が照明である。
【００１１】
給湯ロック解除スイッチ3にて給湯ロックを解除すると、これに連動して照明が点灯するようにする。すなわち、容器を給湯口に置いて給湯ロックを解除してから、給湯して給湯量を確認後、再び給湯ロックがかかるまでの間、照明で手元が照らされるようにする。
【００１２】
また、前記0010の方法によらず、本体に容器センサー4を設け、容器を給湯口に近づけると、これが反応して照明を点灯させる方法でもよい。
【００１３】
また、前記0010、0011の方法によらず、操作部に照明スイッチを設けて、これにより照明を点灯させる方法でもよい。
【産業上の利用可能性】
【００１４】
安全に適量を給湯するための、全ての電気ポットに利用できる。
【符号の説明】
【００１５】
1  電気ポット本体
2  給湯口
3  給湯ロック解除スイッチ
4  容器センサー
5  照明スイッチ
6  照明
【図１】
0003198849.tif 000003
【図２】
0003198849.tif 000004
【手続補正書】
【提出日】平成27年3月23日(2015.3.23)
【手続補正１】
【補正対象書類名】実用新案登録請求の範囲
【補正対象項目名】全文
【補正方法】変更
【補正の内容】
【実用新案登録請求の範囲】
【請求項１】
給湯口下方に容器などを構えて行う給湯作業において、給湯口周辺に下方に向けて発光するLEDなどの照明装置を装着し、本体に備えたスイッチやセンサーなどの働きにて、該LEDなどの照明を点灯させることにより、給湯しようとする容器などに照明を当てることを特徴とする電気ポット。
【手続補正書】
【提出日】平成27年5月25日(2015.5.25)
【手続補正１】
【補正対象書類名】実用新案登録請求の範囲
【補正対象項目名】全文
【補正方法】変更
【補正の内容】
【実用新案登録請求の範囲】
【請求項１】
給湯口下方に容器を構えて給湯する電気ポットにおいて、給湯口周辺に下方に向けて発光する照明装置を装着し、本体に備えたスイッチまたはセンサーの働きにて、該照明装置を発光させることにより、給湯しようとする容器に照明を当てることを特徴とする電気ポット。
(57)【要約】      （修正有）【課題】ニーグリップ部のないオートバイ、及びスクーターでのニーグリップを可能にするオートバイ、及びスクーターを提供する。【解決手段】膝部に取り外し可能な箱状の部品１を取り付け、その部品１の中の空間が収納スペースになっている。【選択図】図１
0003198228.tif 000002
【実用新案登録請求の範囲】
【請求項１】
取り外し可能な収納付きニーグリップ部品を装着した、燃料タンクや固定のニーグリップ部がひざ部にないオートバイ及びスクーター。
【考案の詳細な説明】
【技術分野】
【０００１】この発明は、オートバイ、およびスクーターでのニーグリップに関するものである。
【背景技術】
【０００２】従来ひざ部にタンク及びニーグリップ部がない場合ニーグリップは出来なかった。
【考案の概要】
【考案が解決しようとする課題】
【０００３】ひざ部にタンクなどがないシート前方の低い車体は、乗り降りが簡単に出来ますが、走行時はタンクのあるオートバイのようにひざでニーグリップできないため、車体がふらつきやすいオフロード走行や安定が必要な高速走行時など十分な一体感が得られず危険な場合があった。
乗車してしまうと膝部は無駄な空間として空いていた。
【課題を解決するための手段】
【０００４】ニーグリップ用の部品１は膝部２に取り付け固定すればニーグリップ出来、とりはずせば足元に足を通すスペースが出来る。
【考案の効果】
【０００５】ニーグリップや収納より乗り降りしやすさを重視する時は取り外し、ニーグリップが必要な走行をする時や収納が必要な時に装着すれば、操縦しやすくなり、車体が振られても安定させることが出来るので安全性も高くなる、そして収納スペースは便利である。
乗り降りは普通のオートバイのようにまたげばよい。
【図面の簡単な説明】
【０００６】
【図１】図１はニーグリップのため装着した状態説明図である。
【図２】図２は乗り降りのため外した状態説明図である。
【考案を実施するための形態】
【０００７】以下、本発明を実施するための最良の形態について説明する。
部品１を２に取り付け膝元に固定できる、必要ない時は外して走行できる、そして、その部品の中の空間を利用して、ふた３を付け、収納スペースになる、本発明はこのような構造である。
【図１】
0003198228.tif 000003
【図２】
0003198228.tif 000004
(57)【要約】      （修正有）【課題】リバースボードゲームのような、単にはさんで裏返すというシンプルなゲーム展開に加えて、囲むというコマ獲得要素が実現しやすくなり、更にいちはやく頂点を獲得するための戦略性をも要求されるリバースボードゲーム装置を提供する。【解決手段】ゲームの盤面は合計８０マスの正六角形の集合とし、コマを置く方向を相手コマに対し６０度分割６方向に設定し、また、頂点の数が６箇所となることによるゲームの一方的な展開を防ぐために、公平性を期する意味も含め、頂点に置けるコマの数は各々３コマに限定し、頂点に置くコマは他のコマと識別するため星形など特徴的なシンボルを描くこととした。【選択図】図２
0003198230.tif 000002
【実用新案登録請求の範囲】
【請求項１】
ゲームの盤面を合計８０マスの正六角形の集合とし、コマを置く方向を相手コマに対し６０度分割６方向に設定した上で、互いのコマをはさむ、または囲むことにより自分の色に裏返していき最終的に残ったコマの色の数で勝敗を決するリバースボードゲーム装置。
【請求項２】
ゲームの一方的な展開を防ぐために、公平性を期する意味で、マスの頂点置けるコマの数を２色各３コマに限定し、頂点に置くコマは他のコマと識別するために星形などのシンボルが描かれることを特徴とするリバースボードゲーム装置。
【考案の詳細な説明】
【技術分野】
【０００１】  本考案は正六角形のマス目による盤面上で２色のコマを用い、２名の対戦者が互いに相手の色のコマをはさみ、裏返しあうことによって、最後に残ったコマの数を競うリバースボードゲームに関する。
【背景技術】
【０００２】  いわゆるリバーシ、オセロ（登録商標）と呼ばれるボードゲームが従来からリバースゲームの主流であったが、これらはいずれも四角形を基本とした盤面で水平・垂直・４５度斜め方向にコマを置き合い、自分のコマで相手のコマをはさむルールが踏襲されてきた。
【先行技術文献】
【実用新案文献】
【０００３】  実用新案公開平７−１２１７３号
【考案の概要】
【考案が解決しようとする課題】
【０００４】  従来８方向であったコマを置く方向を相手コマに対し６方向に限定し、はさむ手に加えて、囲むことによるコマの取得も四角マスよりスピーディーに実現させる。【０００５】  また四角マスより頂点の数が２箇所増え、６箇所となるため、ゲームの一方的な展開を防ぎ、公平性を期するために頂点に置くことができるコマの数を制限する。
【課題を解決するための手段】
【０００６】  本考案のゲームの盤面は、図１のように座標系を設定した合計８０マスの正六角形の集合とし、コマを置く方向を相手コマに対し６０度分割６方向に設定する。【０００７】  双方の初手は図２のように、中央部のＥ５、Ｆ５、Ｆ６、Ｇ５の４マスに斜めに２個ずつのコマを、４通りの置き方の中から双方で１通りを選んで置き、次に先手が後手をはさんで裏返すことでゲームがスタートする。【０００８】  以後は互いのコマをはさむ、または囲むことにより自分の色に裏返していき最終的に残ったコマの色の数で勝敗を決する。【０００９】  頂点の数が６箇所となることによるゲームの一方的な展開を防ぐために、公平性を期する意味も含め、頂点に置けるコマの数は各々３コマに限定し、頂点に置くコマは他のコマと識別するため図３のように星形など特徴的なシンボルが描かれる。
【考案の効果】
【００１０】  従来のリバースボードゲームのような、単にはさんで裏返すというシンプルなゲーム展開に加えて、囲むというコマ獲得要素が実現しやすくなり、更にいちはやく頂点を獲得するための戦略性をも要求されるゲームとなった。
【図面の簡単な説明】
【００１１】
【図１】８０マスのゲーム盤面と座標系
【図２】初手置きゴマ例
【図３】頂点に置くコマの図案例
【図４】置きゴマの禁じ手例
【図５】囲みの成立例１・直接
【図６】囲みの成立例２・間接
【図７】囲みの成立例３・複数コマ
【図８】コマを置くことができなくなった時点でのゲーム終了例
【図９】例外的な置きゴマでのゲーム終了例
【実施例１】
【００１２】  図４に示したように、一方が２回続けて同一直線上で相手コマをはさむ手は禁じ手とし、これは斜め方向の同一直線上においても同様とする。
【実施例２】
【００１３】  図５のようにＧ４のマスに黒がコマを置くと、Ｆ５にある白コマの全周囲が黒コマになるため黒手による囲みが成立し、黒手はＦ５を黒に裏返すことができる。
【実施例３】
【００１４】  図６（イ）の局面で、（ロ）のように白がＧ８にコマを置くとまずはさむ手でＦ８が白に裏返り、これによって（ハ）のようにＦ７の黒コマの全周囲が白コマになるため囲みが成立し、白手はＦ８に続いてＦ７も白に裏返すことができる。
【実施例４】
【００１５】  図７（イ）の局面で、（ロ）のように黒が１３にコマを置くとまずはさむ手でＧ５及びＨ４が白に裏返り、これによって（ハ）のようにＦ４、Ｇ４の白コマの全周囲が黒コマになるため囲みが成立し、黒手はＧ５、Ｈ４に続いてＦ４、Ｇ４の複数コマも黒に裏返すことができる。
【実施例５】
【００１６】  図８の最終局面の黒手番で残ったＡ１、Ｇ９どちらにも黒はコマを置く事ができないが、このようにゲームの途中でも残ったマスにコマを置くことができなくなった場合はその手番の負けとなる。
【実施例６】
【００１７】  図９の残り１手の白手番では、はさむ手ではないために残ったＪ６に白は本来コマを置く事ができないが、Ｈ５のように接する黒コマがあれば例外として置けるものとし、これによってゲームを終了する。
【図１】
0003198230.tif 000003
【図２】
0003198230.tif 000004
【図３】
0003198230.tif 000005
【図４】
0003198230.tif 000006
【図５】
0003198230.tif 000007
【図６】
0003198230.tif 000008
【図７】
0003198230.tif 000009
【図８】
0003198230.tif 000010
【図９】
0003198230.tif 000011
【手続補正書】
【提出日】平成27年3月25日(2015.3.25)
【手続補正１】
【補正対象書類名】実用新案登録請求の範囲
【補正対象項目名】請求項２
【補正方法】変更
【補正の内容】
【請求項２】
ゲームの一方的な展開を防ぐために、公平性を期する意味で、マスの頂点に置けるコマの数を２色各３コマに限定し、頂点に置くコマは他のコマと識別するために星形などのシンボルが描かれることを特徴とする請求項１に記載のリバースボードゲーム装置。
(57)【要約】      （修正有）【課題】クワガタ等の幼虫やサナギを菌糸瓶から取出す時に、簡単に、幼虫などに傷をつけずに菌糸瓶から取出すことができる瓶や容器を提供する。【解決手段】瓶や容器を縦に半分に分けたもので、それぞれの接合部はオスとメスの構造になっており、それを合わせて蝶番３で固定することにより通常の瓶や容器の機能を果たすことができるもので、縦に分割することができる事を特徴とする。【選択図】図１
0003198226.tif 000002
【実用新案登録請求の範囲】
【請求項１】
瓶や容器を縦に分割できることができるもの。
【考案の詳細な説明】
【技術分野】
【０００１】本考案は、縦に分割できる瓶や容器に関するものである。
【背景技術】
【０００２】一般的にクワガタ等の幼虫を飼育するには菌糸瓶が使用され、幼虫が成虫になるまでには３本以上の菌糸瓶を使用している。
新しい菌糸瓶にクワガタ虫等の幼虫やサナギを移し替える時は、中の幼虫やサナギを潰してしまわないように、少しずつスプーンなどで中の菌糸を削り幼虫やサナギを取出している。
【先行技術文献】
【特許文献】
【０００３】
【特許文献１】特許公開２００６−０７５１４３
【考案の概要】
【考案が解決しようとする課題】
【０００４】先行技術では、横に分離部を設けた物があるが、菌糸瓶の中には菌糸が固く詰められ、瓶内部に密着しているため分離時に中の蛹室を壊してしまう。
そこで、菌糸瓶内部にストレスを与える事なく縦に分割できる容器、瓶を提供する。【０００５】さらに、菌糸瓶のサイズは大小さまざまであること、幼虫やサナギは瓶の上部、下部の特定の場所にいるわけではないことを考えると問題の解決にはならない。
【課題を解決するための手段】
【０００６】本考案は、容器、瓶を縦に分割できるため、幼虫、サナギがどこにいても、確実に安全に取り出せることができる。
この容器、瓶は、縦に分割することができるため、横に寝かせて重ねることができ、空瓶の保管時のスペースの縮小になる。
【考案の効果】
【０００７】上述のように容器を縦に分割することができることにより、誰にでも簡単に幼虫やサナギを瓶から取出せることができる。
【図面の簡単な説明】
【０００８】
【図１】菌糸瓶
【図２】瓶を縦に分割した時の斜視図
【考案を実施するための形態】
【０００９】本考案の瓶は〔図１〕１の接続部はメス、〔図１〕２の接続部はオス、〔図１〕３の蝶番４個からなっている。
【実施例】
【００１０】以下、添付図面にしたがって実施例を説明する。〔図２〕４の接続部はメスになっており、〔図２〕５の接続部はオスになっているので、〔図１〕の様に合わさることができる。そして、〔図１〕の様に４か所を蝶番などで固定することにより、菌糸瓶の完成となる。
【符号の説明】
【００１１】１  菌糸瓶（接続部メス）
２  菌糸瓶（接続部オス）
３  蝶番
４  接続部（接続部メス）
５  接続部（接続部オス）
【図１】
0003198226.tif 000003
【図２】
0003198226.tif 000004
【手続補正書】
【提出日】平成27年1月6日(2015.1.6)
【手続補正１】
【補正対象書類名】実用新案登録請求の範囲
【補正対象項目名】全文
【補正方法】変更
【補正の内容】
【実用新案登録請求の範囲】
【請求項１】
本考案は、一般的に使用されている瓶や容器を縦に半分に分けたもので、それぞれの接合部はオスとメスの構造になっており、それを合わせて蝶番などで固定することにより通常の瓶や容器の機能を果たすことができるもので、縦に分割することができる事を特徴とする瓶や容器。
【手続補正書】
【提出日】平成27年3月19日(2015.3.19)
【手続補正１】
【補正対象書類名】実用新案登録請求の範囲
【補正対象項目名】全文
【補正方法】変更
【補正の内容】
【実用新案登録請求の範囲】
【請求項１】
瓶や容器を縦に半分に分けたもので、それぞれの接合部はオスとメスの構造になっており、それを合わせて蝶番で固定することにより通常の瓶や容器の機能を果たすことができるもので、縦に分割することができる事を特徴とする瓶や容器。
(57)【要約】      （修正有）【課題】各国の通訳で観光案内が出来るタブレット端末を提供する。【解決手段】タッチパネル液晶ディスプレイ４を有するタブレットであって、旅案内の通訳ソフトを内蔵する。国内外旅行者が、どこの国に行っても、ガイドなしで自由に旅行が出来る。仮に日本でオリンピックや、世界遺産が次々と増え、外国人旅行者が増加するなか、ガイドが少なくても、外国人旅行者は安心出来る。【選択図】図１
0003198225.tif 000002
【実用新案登録請求の範囲】
【請求項１】
各国の言語を滞在国の言語に通訳も出来る、タブレット型端末で有り、世界中すべての言語で話をする事も読み取ることが出来海外旅行者（外国人旅行者）が、どこの国に行っても、案内を可能にしたものです。何も分からない他国へ行った場合に、旅行者の言語で案内します。仮に日本の場合、自分の行きたい所をクリックすると、そこまでの案内を言語で案内することや、どのルートで行くと安く行けるか、時間のない方は速くて、安い方法など、日本全国の案内出来る。飲食店等も安くて旨い店等の案内が出来る。ホテル、航空、鉄道、船、等の予約も出来る。
【考案の詳細な説明】
【考案の説明】
タブレット端末にトラベルインフォメーション（旅案内）のすべてが、入ってあるタブレット端末である。日本では日本国内のすべての場所が、案内出来、諸外国ではその国のすべての旅案内が出来るタブレット端末です。
【技術分野】各国の観光案内が出来る
【背景技術】現在この考案（トラベルインフォメーション）はありません。
【考案が解決しようとする課題】
観光者に対しガイドの数が非常に少ない為
【課題を解決する為の手段】
各国のガイドの代わりに、この考案で有るトラベルインフォメーションを考案しました。
【図面の簡単な説明】▲１▼タテの寸法（長さは特定しない）▲２▼ヨコの寸法（長さは特定しない）▲３▼電源スイッチ▲４▼タッチパネル液晶ディスプレイ▲５▼マイク及びスピーカ▲６▼充電用差し込み口▲７▼一般的なタブレット端末と同型
【図１】
0003198225.tif 000003
【手続補正書】
【提出日】平成27年1月7日(2015.1.7)
【手続補正１】
【補正対象書類名】実用新案登録請求の範囲
【補正対象項目名】全文
【補正方法】変更
【補正の内容】
【実用新案登録請求の範囲】
【請求項１】
すべての、案内を通訳ソフトを、内蔵したタブレット端末で有る。
【手続補正書】
【提出日】平成27年3月20日(2015.3.20)
【手続補正１】
【補正対象書類名】実用新案登録請求の範囲
【補正対象項目名】全文
【補正方法】変更
【補正の内容】
【実用新案登録請求の範囲】
【請求項１】
タッチパネル液晶ディスプレイを有するタブレットであって、旅案内を通訳ソフト内蔵したタブレット端末。
【手続補正２】
【補正対象書類名】明細書
【補正対象項目名】全文
【補正方法】変更
【補正の内容】
【考案の詳細な説明】
【考案の説明】
：通訳ソフトを内蔵した旅案内が出来るタブレット端末である。日本国内では、すべての旅案内が出来、諸外国でその国のすべての旅案内が出来る。なお、旅先などで会話など通じない場合、タブレットのタッチパネルに自国の文字を書くと他国（旅先）の言葉に変更出来る。
【技術分野】：各国の通訳で観光案内が出来る。
【背景技術】：現在、この考案旅案内を通訳ソフトを内蔵したタブレット端末はありません。
【課題を解決するための手段】
：各国のガイドの代わりにこの考案である通訳ソフトを内蔵しタブレット端末を考案しました。
【図面の簡単な説明】
【図１】  平面図
【符号の説明】Ｈ．Ｌ．の寸法は特定しない
１．電源スイッチ
２．充電用差し込み口
３．マイク及びスピーカー
４．タッチパネル液晶ディスプレイ
５．通訳をする国の国旗をクリックするとその国の通訳がはじまります。
【手続補正３】
【補正対象書類名】図面
【補正対象項目名】全図
【補正方法】変更
【補正の内容】
【図１】
0003198225.tif 000004
(57)【要約】      （修正有）【課題】指さし穴を設けることにより片手で使用しながら、食材・飲料を収容した容器を同時に安定して保持でき、かつ容器からの結露による強度劣化防止加工を行った段ボール製食器トレーを提供する。【解決手段】食器トレーを支えるための指さし穴１と食材を収容した容器を載置する保持穴２・５と飲料を収容した容器を載置する保持穴４と箸を載置するための折り返し加工６を一体に連成し、受皿の保持部に任意の皿を用い片手で使用することを容易とした食器保持機能付き段ボール製食器トレー。【選択図】図１
0003198224.tif 000002
【実用新案登録請求の範囲】
【請求項１】
食器トレーを支えるための指さし穴１と食材を収容した容器を載置する保持穴２・５と飲料を収容した容器を載置する保持穴４と箸を載置するための折り返し加工６を一体に連成し、受皿の保持部に任意の皿を用い片手で使用することを容易とした食器保持機能付き段ボール製食器トレー。
【請求項２】
指さし穴１周辺に飲料を収容した容器を載置するための保持穴４を設け、バランスを保つことを容易とすることを特徴とする請求項１記載の食器保持機能付き段ボール製食器トレー。
【請求項３】
トレーの内側に撥水加工を行い、強度劣化を抑制していることを特徴とする請求項１または請求項２記載の食器保持機能付き段ボール製食器トレー。
【考案の詳細な説明】
【技術分野】
【０００１】本考案は、片手で使用することが容易な段ボール製食器トレーに関するものである。
【背景技術】
【０００２】従来の食器トレーは平らな形状で、縁に盛り上がりを設けるよう設計されており、食器の形状や料理の内容を問わず使用でき、木・プラスチックで製造されているため、洗浄したのち再利用できる利点があり、食器を運ぶトレーとして実用されるまでに至っている。【０００３】しかしながら、従来の食器トレーは安定して食器を運ぶためには食器とトレーを垂直に保つ必要がある。重量物を載せて運んだ場合、バランスを保つことが容易ではないという欠点があった。食器を運ぶ用途において、この欠点は操作性に関して大きな障害である。
【先行技術文献】
【特許文献１】
【０００４】
【特許文献】
【特許文献】  特許公開２００３−５２５１６  公報
【考案の概要】
【考案が解決しようとする課題】
【０００５】本考案は、以上のような従来の欠点に鑑み、食器とトレーを垂直に保ち安定して使用することを容易とした段ボール製食器トレーを提供することを目的としている。
【課題を解決するための手段】
【０００６】上記目的を達成するために、本考案は、組立式による箱状の食器トレーに形成することで厚み持たせており、食器トレーを支えるための指さし穴と食材を収容した容器と飲料を収容した容器を載置する保持穴と箸を載置するための折り返し加工を一体に連成することで段ボール製食器トレーを構成している。
【考案の効果】
【０００７】以上の説明から明らかなように、本考案にあっては次に列挙する効果が得られる。
本考案の段ボール製食器トレーは、材質が紙で構成されているためリサイクルが可能である。食器の固定が可能になり、食器の横滑り・転倒のトラブルが改善され、片手でトレーを扱う事が容易になるという利点がある。
【図面の簡単な説明】
【０００８】
【図１】本考案の実施方法を示した説明図である。
【考案を実施するための形態】
【０００９】食器トレーを安定して使用するという目的を、食材が収容された容器を固定化することで操作性を損なわずに実現した。
【実施例１】
【０００１０】図１は本考案装置の実施例１の断面図である。
【符号の説明】
【０００１１】  １  指さし穴
２  食器保持穴  大
３  食器キャップ収容穴
４  飲料容器保持穴
５  食器保持穴  小
６  箸載置加工
【図１】
0003198224.tif 000003
(57)【要約】      （修正有）【課題】通信装置支持物構造を提供する。【解決手段】支持物本体１と、押圧部２と、挟持部３と、固定用ネジ穴４とで主に構成される。一体成形される支持物本体１であり、支持物本体１の下端は押圧部２であり、使用者が押圧すると上端の挟持部３が開いて通信装置を迅速に挟持させ、支持物本体１の固定用ネジ穴４がフットレスト（Ｆｏｏｔｒｅｓｔ）に固定され、十分に便利になる。【選択図】図１
0003198276.tif 000002
【実用新案登録請求の範囲】
【請求項１】
通信装置支持物構造において、
一体成形され、下端が手で押圧するための押圧部を有し、上端が通信装置を挟持するための挟持部である支持物本体と、
支持物本体の下端に位置する、手で押圧するための押圧部と、
支持物本体の上端に位置する、通信装置を挟持するための挟持部と、
支持物本体をフットレスト（Footrest）に固定するための固定用ネジ穴と、
を備えることを特徴とする通信装置支持物構造。
【請求項２】
支持物本体が可撓性材質であることで、挟持力を提供することを特徴とする、請求項１に記載の通信装置支持物構造。
【考案の詳細な説明】
【技術分野】
【０００１】
本考案は、通信装置支持物構造に関する。
【背景技術】
【０００２】
従来の通信装置支持物構造は複雑であり、使用法や操作法が煩雑であった。
【０００３】
そこで、本考案者は上記の欠点が改善可能と考え、鋭意検討を重ねた結果、合理的設計で上記の課題を効果的に改善する本考案の提案に到った。
【考案の概要】
【考案が解決しようとする課題】
【０００４】
本考案は、このような従来の問題に鑑みてなされたものである。上記課題解決のため、本考案は、通信装置支持物構造を提供することを主目的とする。
【課題を解決するための手段】
【０００５】
上述した課題を解決し、目的を達成するために、本考案に係る通信装置支持物構造は、一体成形され、下端は手で押圧するための押圧部を有し、上端は通信装置を挟持するための挟持部である支持物本体と、支持物本体の下端に位置する手で押圧するための押圧部と、支持物本体の上端に位置されて通信装置を挟持するのに用いられる挟持部と、支持物本体をフットレスト（Footrest）に固定させるための固定用ネジ穴とを備えることを特徴とする。
【０００６】
請求項２に記載の通信装置支持物構造は請求項１において、前記支持物本体が可撓性材質であることで、挟持力を提供する。
【考案の効果】
【０００７】
本考案は一体成形される支持物本体であり、支持物本体の下端は押圧部であり、使用者が押圧すると上端の挟持部が開いて通信装置を迅速に挟持させ、また支持物本体の固定用ネジ穴がフットレスト（Footrest）に固定される。本技術は、一体成形される構造により操作がより簡単になる。
【図面の簡単な説明】
【０００８】
【図１】本考案に係る通信装置支持物構造を説明する外観斜視図である。
【図２】本考案の通信装置支持物構造の一実施形態を示す図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
＜第１実施形態＞
以下、本考案の具体的な実施形態について添付図面に基づき説明する。本考案の通信装置支持物構造は、支持物本体１と、押圧部２と、挟持部３と、固定用ネジ穴４とで主に構成される（図１及び図２参照）。しかも、本考案は一体成形される支持物本体１であり、支持物本体１の下端は押圧部２であり、使用者が押圧すると上端の挟持部３が開いて通信装置５を迅速に挟持させ、且つ支持物本体１の固定用ネジ穴４がフットレスト（Footrest）に固定される。
【００１１】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００１２】
１ 支持物本体
２ 押圧部
３ 挟持部
４ 固定用ネジ穴
５ 通信装置
【図１】
0003198276.tif 000003
【図２】
0003198276.tif 000004